(57)【特許請求の範囲】
【請求項１】
何れも樹脂材料からなる透明な表用カバーシート，透明な表用コアシート，乳白色で不透明なセンターコアシート，透明な裏用コアシート，透明な裏用カバーシートが順次積層されたカードであって、
前記表用コアシートの前記表用カバーシート側の少なくとも一部領域には集光性蛍光染料インキによる印刷層が、前記裏用コアシートの前記裏用カバーシート側の少なくとも一部領域には前記集光性蛍光染料インキとは異なる色の集光性蛍光染料インキによる印刷層が形成され、前記表用カバーシート及び／又は前記裏用カバーシートの積層面には図柄印刷層が形成されたことを特徴とするカード。
【請求項２】
請求項１に記載のカードにおいて、
樹脂材料は非結晶性ポリエステル系樹脂材料であることを特徴とするカード。
【請求項３】
請求項１に記載のカードにおいて、
樹脂材料はポリ乳酸系樹脂材料であることを特徴とするカード。
【請求項４】
請求項１に記載のカードにおいて、
樹脂材料はポリ塩化ビニル樹脂材料であることを特徴とするカード。
【請求項５】
請求項１〜４何れかに記載のカードにおいて、
表用カバーシート，裏用カバーシートの、少なくとも何れかの表出面には磁気情報記録部が形成されたことを特徴とするカード。
【発明の詳細な説明】
【技術分野】
【０００１】
本発明は、意匠性に優れ、所持することが楽しくなるカードに関する。
【背景技術】
【０００２】
近年、各種分野で顧客囲い込みのための会員カードが発行されている。
運動施設や娯楽関連施設等では、カード会員は、例えば、施設を優先的に利用したり、施設内で販売されている商品を非会員より安い金額で購入することができるようになっている。
商店等で利用される会員カードは、商店内で発行され、カード会員は、ダイレクトメール等でキャンペーン情報を優先的に入手したり、商品を安い会員価格で購入したりすることができる。
また、ポイントカード等も商品購入時に発行され、カードには商品購入のたびに顧客の買上げ金額に対するポイント情報が記録され、会員は累積された点数に応じたサービスを受けることができる。
また、ギフトカードや電子マネーのようなプリペイドカードも発行されて、商品やサービスの購入に利用されている。
いずれのカードも、顧客の継続的な来店のため、商品の購入を促すために発行される。
【０００３】
前述の会員カードやポイントカードは、施設や商店側の意向により発行されるが、行動範囲が広い顧客はカードを全て財布などに収納することができず、使用頻度が多いカード以外は家に放置し、放置されたカードはその存在すら忘れてしまっていることが多い。
そのため、カード発行者は、顧客に常時携帯して貰えるように、また、頻繁に来店してもらえるようにカードデザインに工夫を凝らす。
【０００４】
クレジットカードなどは、インターナショナルで使用される必要があるために、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）規格に準拠して作られる。
クレジットカード会社は、不透明なコア材の表裏に透明なオーバーシートを貼り合わせて所定の厚みとし、最表面に磁気ストライプやＩＣモジュールを形成してＩＳＯ規格に準拠したカードとして発行している。
【０００５】
一方、商店などで発行される会員カードやポイントカードは、必ずしもＩＳＯ規格に準拠している必要がないために、独自の仕様で、目立つデザインで企画され発行される。
そこで、カード基材の一部に蛍光染料を練り込んだカードが提供されている（例えば、特許文献１参照）。
【０００６】
【特許文献１】特開平２−２８１９９９号公報
【発明の開示】
【発明が解決しようとする課題】
【０００７】
特許文献１に記載されている発明は、材料そのものに蛍光染料を混ぜ合わせるために、カードメーカーでは、従来から使用している材料をそのまま使用することができない。
また、カード材料を供給する材料メーカーにとっては、一連の成形装置が蛍光染料で汚染されるために、再び蛍光染料を使用しない材料の製造に戻す場合に、成形装置の掃除に多大な時間をかけなければならない。
【課題を解決するための手段】
【０００８】
前記課題を解決するために、本発明のカードの第一の態様は、何れも樹脂材料からなる透明な表用カバーシート，透明な表用コアシート，乳白色で不透明なセンターコアシート，透明な裏用コアシート，透明な裏用カバーシートが順次積層されたカードであって、
前記表用コアシートの前記表用カバーシート側の少なくとも一部領域には集光性蛍光染料インキによる印刷層が、前記裏用コアシートの前記裏用カバーシート側の少なくとも一部領域には前記集光性蛍光染料インキとは異なる色の集光性蛍光染料インキによる印刷層が形成され、前記表用カバーシート及び／又は前記裏用カバーシートの積層面には図柄印刷層が形成されたことを特徴とするものである。
【０００９】
また、第二の態様は、第一の態様において、樹脂材料は非結晶性ポリエステル系樹脂材料であることを特徴とするものである。
【００１０】
また、第三の態様は、第一の態様において、樹脂材料はポリ乳酸系樹脂材料であることを特徴とするものである。
【００１１】
また、第四の態様は、第一の態様において、樹脂材料はポリ塩化ビニル樹脂材料であることを特徴とするものである。
【００１２】
また、第五の態様は、第一から第四何れかの態様において、表用カバーシート，裏用カバーシートの、少なくとも何れかの表出面には磁気情報記録部が形成されたことを特徴とするものである。
【発明の効果】
【００１３】
本発明のカードによって、
１）カード基体側面から表裏で異なる色の光が放出され、デザイン効果はもとより、偽造対策としても大きな効果を発揮する。
２）また、カードメーカー側ではカード作製に当たって、従来から使用しているカード基材をそのまま使用することができ、所定のシートに集光性蛍光染料を含有するインキによって集光性蛍光染料印刷層を形成するだけで本発明のカードを作製することができる。
３）また、カード発行者側は、所持して楽しいカードとして顧客に提供することができる。
４）また、磁気情報記録部が形成されたことによって、カード情報を磁気的に記録することができ、事務処理等の省力化を計ることができる。
【発明を実施するための最良の形態】
【００１４】
以下、図面を参照して、本発明のカードについて説明する。
図１は、本発明のカードの一例について説明するための図，図２は、図１のＡ−Ａ線断面について説明するための図，図３は、集光性蛍光染料インキによる印刷層（以下、集光性蛍光染料印刷層という）から吸収した光をカードの側面に放出するメカニズムの一例について説明するための図，図４は、吸収した光を異なる周波数の光に変換して放出する集光性蛍光染料の特性の一例について説明するための図，である。
【００１５】
図１を参照して、本発明のカードの一例について説明する。
本発明のカード１のカード基体１００は、図示しないが、何れも樹脂材料、例えば、非結晶性ポリエステル系樹脂材料，ポリ乳酸系樹脂材料，ポリ塩化ビニル樹脂材料からなる透明な表用カバーシート，透明な表用コアシート，乳白色で不透明なセンターコアシート，透明な裏用コアシート，透明な裏用カバーシートが順次積層された構成になっている。
表用カバーシート（図示せず）と表用コアシート（図示せず）の間の少なくとも一部領域には集光性蛍光染料印刷層１２ａが、裏用コアシート（図示せず）と裏用カバーシート（図示せず）の間の少なくとも一部領域には前記集光性蛍光染料インキとは異なる色の集光性蛍光染料印刷層１２ｂが形成されている。
また、前記表用カバーシート（図示せず）の積層面には図柄印刷層（表面用図柄印刷層１１）が形成され、前記裏用カバーシート（図示せず）の積層面には裏面用図柄印刷層が形成されている。
【００１６】
カード１の表出面、即ち、表用カバーシート（図示せず）及び／又は裏用カバーシート（図示せず）の表出面には磁気材料による磁気情報記録部１３が形成されている。
【００１７】
図２を参照して、図１のＡ−Ａ線断面について説明する。
図１で説明したように、本発明のカードのカード基体１００は、何れも樹脂材料、例えば、非結晶性ポリエステル系樹脂材料，ポリ乳酸系樹脂材料，ポリ塩化ビニル樹脂材料からなる透明な表用カバーシート，透明な表用コアシート，乳白色で不透明なセンターコアシート，透明な裏用コアシート，透明な裏用カバーシートが順次積層された構成になっている。
表用カバーシート１０１と表用コアシート１０２の間には集光性蛍光染料印刷層１２ａが、裏用コアシート１０４と裏用カバーシート１０５の間には、前記集光性蛍光染料印刷層１２ａに使用されている集光性蛍光染料インキとは異なる色の集光性蛍光染料印刷層１２ｂが形成されている。
また、表用カバーシート１０１の積層面には表面用図柄印刷層１１が形成され、裏用カバーシート１０５の積層面には裏面用図柄印刷層１４が形成されている。
図２では、前記集光性蛍光染料印刷部１２ａ，１２ｂがカードの略全面にわたって形成されているが、一部の領域に形成されていてもよい。
【００１８】
前記表面用図柄印刷部１１には、文字，罫線，記号を含むデザインが透明又は不透明な印刷インキによって印刷されている。また、前記裏面用図柄印刷部１４には、文字，罫線，記号を含むデザインが透明又は不透明な印刷インキによって印刷されている。
集光性蛍光染料印刷層１２ａ，１２ｂの印刷面積が大きいほど、また、集光性蛍光染料印刷部１２ａ，１２ｂの印刷されたインキの皮膜が厚いほど、カード基体１００の側面から放出される光の強さが大きくなる。
また、表面用図柄印刷部１１に使用される印刷インキが透明インキであるほうが、不透明インキであるよりカード基体１００の側面から放出される光の強さが大きくなる。
さらに、表面用図柄印刷部１１に使用される印刷インキが不透明インキの場合は、表面用図柄印刷部の印刷面積が小さいほどカード基体１００の側面から放出される光の強さが大きくなる。
【００１９】
表用カバーシート１０１，表用コアシート１０２，センターコアシート１０３，裏用コアシート１０４，裏用カバーシート１０５は熱によって融着されたり、接着剤を介して接着、積層される。
前記各シートが熱によって融着される場合は、とりわけ中心部に位置する表用コアシート１０２，裏用コアシート１０４は、それぞれ複数枚で構成することもできる。
前記表用コアシート１０２には積層される前に、集光性蛍光染料印刷層１２ａ，表面用図柄印刷層１１が順次印刷によって形成される。
同様、前記裏用コアシート１０４には積層される前に、集光性蛍光染料印刷層１２ｂ，裏面用図柄印刷層１４が順次印刷によって形成される。
図示しないが、おもて面に磁気情報記録部が形成される場合は前記表用カバーシート１０１に、裏面に磁気情報記録部が形成される場合は前記裏用カバーシート１０５に、事前に磁気記録材料が形成され、磁気記録材料が最表面に露出するように積層される。
カードは、１１０〜１５０°Ｃの温度で、４０〜６０分加圧されて積層される。
【００２０】
図３を参照して、集光性蛍光染料印刷部から吸収した光をカードの側面に放出するメカニズムの一例について説明する。
図３は、積層されたカードの断面を示し、図２の表用コアシート１０２，センターコアシート１０３，裏用コアシート１０４の周辺を拡大した図である。
表用コアシート１０２に印刷によって形成された集光性蛍光染料印刷層１２ａ、裏用コアシート１０４に印刷によって形成された集光性蛍光染料印刷層１２ｂ、それぞれから矢印の方向に入射した「光」は、実線，破線，一点破線に示すコースを辿って表用コアシート１０２、裏用コアシート１０４の上下面によって反射され、表用コアシート１０２、裏用コアシート１０４の側面から放出される。
印刷された集光性蛍光染料印刷部から吸収された光は、濃縮された状態でそれぞれのコアシート側面から放出される。
【００２１】
集光性蛍光染料印刷部１２ａから吸収された光は、表用コアシート１０２とセンターコアシート１０３の境界で反射され、センターコアシート１０３の上部に放出される。
また、集光性蛍光染料印刷部１２ｂから吸収された光は、裏用コアシート１０４とセンターコアシート１０３の境界で反射されることで、センターコアシート１０３の下部に放出される。
カードは多くは室内で使用され、光源は頭上に在る場合が多く、カードの表を上にして差し出した場合は、カードの側面からは集光性蛍光染料印刷部１２ａの光が放出され、カードの裏を上にして差し出した場合は、カードの側面からは集光性蛍光染料印刷部１２ｂの光が放出される。
前述のように、センターコアシートが不透明体であることによって、一枚のカードが二色の異なる光を放出するというパフォーマンスを演出する。
【００２２】
図４を参照して、吸収した光を異なる周波数の光に変換して放出する集光性蛍光染料の特性の一例について説明する。
図４のｃ図に示す例は、ＢＡＳＦ社の「ＬｕｍｏｇｅｎＦ  Ｒｅｄ３０５」を使用した集光性蛍光染料の吸収スペクトルと放出（励起）スペクトルの一例を示す。
また、ｄ図に示す例は、ＢＡＳＦ社の「ＬｕｍｏｇｅｎＦ  Ｂｌｕｅ６５０」を使用した集光性蛍光染料の吸収スペクトルと放出（励起）スペクトルの一例を示す。
ｃ図の「ＬｕｍｏｇｅｎＦ  Ｒｅｄ３０５」を使用した集光性蛍光染料は、最大吸収波長が５７８ｎｍで、最大放出波長が６１３ｎｍであるという特性を有することを示している。
【００２３】
また、ｄ図の「ＬｕｍｏｇｅｎＦ  Ｂｌｕｅ６５０」を使用した集光性蛍光染料は、最大吸収波長が３７７ｎｍで、最大放出波長が４１１ｎｍであるという特性を有することを示している。
これらの染料は、３００°Ｃの耐熱性を有し、従って、カードの積層時の温度１００〜１５０°Ｃ及び積層時間約４０〜６０分に十分耐えることができる。
それぞれの染料は、紫外線に対する高い耐性を有し、長時間の使用に対しても前述の集光性蛍光染料の吸収／放出特性を維持させることができる。
【００２４】
図４に示す集光性蛍光染料の他に、最大吸収波長が４７６ｎｍで最大放出波長が４９０ｎｍの染料，最大吸収波長が５２４ｎｍで最大放出波長が５３９ｎｍの染料，最大吸収波長が３７８ｎｍで最大放出波長が４１３ｎｍの染料等があり、何れも前述の耐熱性、耐光性を有する。
前述の集光性蛍光染料を効果的に組み合わせて使用することによって、所持して楽しいカードを提供することができる。
【００２５】
図１〜図４を参照して、本発明のカードの使用方法と特徴について説明する。
カード１の表用カバーシート１０１、または、裏用カバーシート１０５の表面を太陽光、室内光、または、近くの光源に向ける。
その結果、カード１は、表面用図柄印刷部１１又は裏面用図柄印刷部１４を透過させて、または、その隙間を通過させて照射された光を集光性蛍光染料印刷層１２ａ，１２ｂで吸収し、集光性蛍光染料の種類に応じた、二色の異なった周波数の光をカード基体１００の側面から放出させることができる。
また、カード基体１００の側面から放出される光は、カード１に印刷された集光性蛍光染料印刷部１２とは異なる波長の光であるために、デザイン効果はもとより、偽造対策としても大きな効果を発揮する。
【００２６】
（材料）
図２を参照して、本発明のカードに使用される材料の一例について説明する。
カード基体１００の表用カバーシート１０１，表用コアシート１０２，裏用コアシート１０４，裏用カバーシート１０５には透明な樹脂材料を使用する。
また、センターコアシート１０３には乳白色の不透明な樹脂材料を使用する。
前述の樹脂材料として、非結晶性ポリエステル系樹脂材料，ポリ乳酸系樹脂材料，ポリ塩化ビニル樹脂材料などを使用する。
非結晶性ポリエステル系樹脂は、一般的には芳香族ジカルボン酸とジオールとの脱水縮合体であって、共重合ポリエステルの中でも特に結晶性が低い非結晶性の芳香族ポリエステル樹脂からなる。ジカルボン酸としてはテレフタル酸，イソフタル酸，アジピン酸，ナフタレンジカルボン酸等があり、ジオールとしてはエチレングリコール，ジエチレングリコール，トリエチレングリコール，１，４−シクロヘキサンジメタノール等がある。ジカルボン酸成分とジオール成分の組合せは適宜行われる。
前記非結晶性ポリエステル系樹脂として、ポリエチレンテレフタレートにおけるエチレングリコール成分の３０モル％を１，４−シクロヘキサンジメタノールで置換した商品（商品名「ＰＥＴＧ」）がイーストマンケミカル社から市販されており、これらを使用することができる。
ポリ乳酸系樹脂は、例えば、ポリー３ーヒドロキシアルカノエート、或いは３又は４ーヒドロキシアルカノエートの共重合体、又はこれらの混合物と、ジカルボン酸とグリコールを重縮合して成る脂肪族ポリエステル、又は／及び、乳酸を原料としてこれを直接又は二量体の開環重合してなるポリ乳酸を、二種又は三種ブレンドして使用する。
ポリ塩化ビニル樹脂については公知の市販材料を使用する。
乳白色の樹脂材料は、透明な樹脂材料に白色の無機質粉末を混練りして作製する。
【００２７】
集光性蛍光染料インキには、例えば、セイコーアドバンス社製「ＡＣＴ８００メジューム」に、ＢＡＳＦ社製「集光性蛍光染料」をインキ比５質量％で配合させたインキを使用する。シルクスクリーンで印刷する場合は、乾燥後の印刷皮膜が３〜１５μｍとなるように印刷する。
その他、表面用図柄印刷部，裏面用図柄印刷部の印刷には、紫外線硬化型のオフセットインキを使用し、オフセット方式で印刷する。
【産業上の利用可能性】
【００２８】
本発明のカードは、会員カード、ポイントカード、ギフトカード、電子マネーなどに利用される。
【図面の簡単な説明】
【００２９】
【図１】本発明のカードの一例について説明するための図である。
【図２】図１のＡ−Ａ線断面について説明するための図である。
【図３】集光性蛍光染料印刷部から吸収した光をカードの側面に放出するメカニズムの一例について説明するための図である。
【図４】吸収した光を異なる周波数の光に変換して放出する集光性蛍光染料の特性の一例について説明するための図である。
【符号の説明】
【００３０】
１      カード
１１    表面用図柄印刷層、または、表面用図柄印刷部
１２ａ，１２ｂ  集光性蛍光染料印刷層、または、集光性蛍光染料印刷部
１３    磁気情報記録部
１４    裏面用図柄印刷層、または、裏面用図柄印刷部
１００  カード基体
１０１  表用カバーシート
１０２  表用コアシート
１０３  センターコアシート
１０４  裏用コアーシート
１０５  裏用カバーシート
【図１】
0005045365.tif 000002
【図２】
0005045365.tif 000003
【図３】
0005045365.tif 000004
【図４】
0005045365.tif 000005